(57)【要約】【課題】負荷の電気的特性に適した電力の供給を図る。【解決手段】電源装置１は、直流変換部２から第２の直流電圧Ｖ２が印加される照明器具４の電気的特性を検出する検出部３０と、負荷電流ＩＬを検出する負荷電流検出部３１とを備える。直流変換部２は、出力用の変圧器Ｔ１を有する共振形コンバータ２０と、変圧器Ｔ１の巻数比を調整する巻数比調整部２１とを有する。制御部３は、負荷電流ＩＬを目標値に一致させるように共振形コンバータ２０の動作周波数ｆを制御し、かつ、検出部３０が検出する照明器具４の電気的特性に応じて巻数比調整部２１に変圧器Ｔ１の巻数比を調整させる。制御部３は、更に、負荷の電気的特性に応じて目標値を変更する。【選択図】        図１
2020107437.tif 000002
【特許請求の範囲】
【請求項１】
第１の直流電圧を第２の直流電圧に変換する直流変換部と、
前記直流変換部を制御して前記第２の直流電圧を調整する制御部と、
前記直流変換部から前記第２の直流電圧が印加される負荷の電気的特性を検出する検出部と、
前記負荷に流れる負荷電流を検出する負荷電流検出部と、
を備え、
前記直流変換部は、
出力用の変圧器を有する共振形コンバータと、
前記変圧器の巻数比を調整する巻数比調整部と、
を有し、
前記制御部は、前記負荷電流検出部で検出される負荷電流を目標値に一致させるように前記共振形コンバータの動作周波数を制御し、かつ、前記検出部が検出する前記負荷の電気的特性に応じて前記巻数比調整部に前記変圧器の巻数比を調整させ、
前記制御部は、更に、前記負荷の電気的特性に応じて前記目標値を変更する、
電源装置。
【請求項２】
前記制御部は、外部から受け取る指令に応じて前記目標値を変更する、
請求項１記載の電源装置。
【請求項３】
前記検出部は、前記負荷の電気的特性として、前記負荷電流が流れているときの前記負荷の両端電圧を前記電気的特性として検出する、
請求項２記載の電源装置。
【請求項４】
前記共振形コンバータは、前記変圧器が出力する交流電圧を整流する整流回路を有し、
前記変圧器は、一つ以上のタップが設けられた出力巻線を有し、
前記巻数比調整部は、前記一つ以上のタップと前記整流回路の入力端子を電気的に接続する接続状態と電気的に接続しない非接続状態に択一的に切り替える、
請求項１〜３のいずれか１項に記載の電源装置。
【請求項５】
前記変圧器は補助巻線を有し、
前記巻数比調整部は、前記補助巻線の誘起電圧によって動作し、前記誘起電圧が下限値以下であるときに前記巻数比を最小値に調整する、
請求項４記載の電源装置。
【請求項６】
請求項１〜５のいずれかの電源装置を複数備えるとともに、
複数の照明負荷と、
前記複数の電源装置の出力する直流電力を前記複数の照明負荷に供給するための給電路と、
を備え、
前記複数の電源装置は、前記給電路の第１端に電気的に並列接続され、
前記複数の照明負荷は、前記給電路の第２端に電気的に並列接続又は直列接続される、
照明システム。
【請求項７】
前記複数の照明負荷は、前記給電路の第２端に電気的に直列接続され、
前記複数の照明負荷の各々は、複数の固体光源を有しており、
前記複数の照明負荷のうちの一部の照明負荷は、前記複数の固体光源のうちの一部の固体光源が電気的に直列接続された固体光源モジュールを複数有し、
前記複数の固体光源モジュールが電気的に並列接続されている、
請求項６記載の照明システム。
【発明の詳細な説明】
【技術分野】
【０００１】
本開示は、電源装置及び照明システムに関し、より詳細には、出力電圧が可変である電源装置及び当該電源装置を備える照明システムに関する。
【背景技術】
【０００２】
従来例として特許文献１記載のＬＥＤ点灯装置（電源装置）を例示する。特許文献１記載のＬＥＤ点灯装置は、力率改善用のＰＦＣ回路と、ＰＦＣ回路から出力される一定の直流電圧を入力とする電流共振コンバータ回路とを備える。電流共振コンバータ回路は、直流電圧を第１のスイッチング素子と第２のスイッチング素子で交互にスイッチングさせ、第１のインダクタと第２のインダクタのインダクタ成分と第１のコンデンサのキャパシタ成分により共振させる。電流共振コンバータ回路は、第２のインダクタに発生する磁束に応じた誘導電力を、第三のインダクタに伝送して、ダイオードブリッジにより整流する回路からなる。従来例のＬＥＤ点灯装置は、電流共振コンバータ回路の発振周波数（第１及び第２のスイッチング素子のスイッチング周波数）を変化させることによってＬＥＤを調光することができる。
【先行技術文献】
【特許文献】
【０００３】
【特許文献１】特開２０１５−１４９１３６号公報
【発明の概要】
【発明が解決しようとする課題】
【０００４】
上記従来例の電流共振コンバータ回路の出力電圧は、その発振周波数が高くなるにつれて（共振周波数から離れるにつれて）低下する。しかしながら、電流共振コンバータ回路の発振周波数は、第１及び第２のスイッチング素子を駆動する駆動回路の能力に応じた上限の周波数までしか変化させることができない。そのため、上記従来例では、電気的特性（例えば、定格電圧）が異なる負荷（ＬＥＤ）に対して、各々の負荷の電気的特性に適した電力を供給することが困難であった。
【０００５】
本開示の目的は、負荷の電気的特性に適した電力の供給を図ることができる電源装置及び照明システムを提供することである。
【課題を解決するための手段】
【０００６】
本開示の一態様に係る電源装置は、第１の直流電圧を第２の直流電圧に変換する直流変換部と、前記直流変換部を制御して前記第２の直流電圧を調整する制御部とを備える。前記電源装置は、前記直流変換部から前記第２の直流電圧が印加される負荷の電気的特性を検出する検出部と、前記負荷に流れる負荷電流を検出する負荷電流検出部とを更に備える。前記直流変換部は、出力用の変圧器を有する共振形コンバータと、前記変圧器の巻数比を調整する巻数比調整部とを有する。前記制御部は、前記負荷電流検出部で検出される負荷電流を目標値に一致させるように前記共振形コンバータの動作周波数を制御し、かつ、前記検出部が検出する前記負荷の電気的特性に応じて前記巻数比調整部に前記変圧器の巻数比を調整させる。前記制御部は、更に、前記負荷の電気的特性に応じて前記目標値を変更する。
【０００７】
本開示の一態様に係る照明システムは、前記電源装置を複数備えるとともに、複数の照明負荷と、前記複数の電源装置の出力する直流電力を前記複数の照明負荷に供給するための給電路とを備える。前記複数の電源装置は、前記給電路の第１端に電気的に並列接続される。前記複数の照明負荷は、前記給電路の第２端に電気的に並列接続又は直列接続される。
【発明の効果】
【０００８】
本開示の電源装置及び照明システムは、負荷の電気的特性に適した電力の供給を図ることができるという効果がある。
【図面の簡単な説明】
【０００９】
【図１】図１は、本開示の実施形態に係る電源装置の回路構成図である。
【図２】図２は、同上の電源装置における共振形コンバータの動作周波数と出力比との関係を示す図である。
【図３】図３は、同上の電源装置によって点灯させられる照明負荷の回路構成図である。
【図４】図４Ａは、同上の電源装置の動作説明用のタイムチャートである。図４Ｂは、同上の電源装置の動作説明用のタイムチャートである。
【図５】図５Ａは、同上の電源装置の出力電流と出力電圧の関係を示す図である。図５Ｂは、同上の電源装置の出力電流と出力電圧の関係を示す図である。
【図６】図６は、同上の電源装置の変形例１における巻数比調整部の回路構成図である。
【図７】図７は、同上の電源装置の変形例２における巻数比調整部の回路構成図である。
【図８】図８は、同上の電源装置の変形例３における巻数比調整部の回路構成図である。
【図９】図９は、同上の電源装置の変形例４の要部の回路構成図である。
【図１０】図１０は、本開示の実施形態に係る照明システムのシステム構成図である。
【図１１】図１１は、同上の照明システムの回路構成図である。
【図１２】図１２は、同上の照明システムの変形例のシステム構成図である。
【発明を実施するための形態】
【００１０】
本開示に係る電源装置の実施形態及び照明システムの実施形態について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態に係る電源装置１（以下、電源装置１と略す。）は、図１に示すように、直流変換部２と、制御部３と、検出部３０と、負荷電流検出部３１とを備える。直流変換部２は、定電圧源１２から入力する第１の直流電圧Ｖ１を第２の直流電圧Ｖ２に変換（昇圧又は降圧）する。制御部３は、直流変換部２を制御して第２の直流電圧Ｖ２を変化させる。制御部３は、例えば、マイクロコントローラを有する。制御部３は、制御用のプログラムをマイクロコントローラで実行することにより、後述する種々の制御を行う。検出部３０は、直流変換部２から第２の直流電圧Ｖ２が印加される負荷（照明器具４）の電気的特性を検出する。なお、検出部３０は、照明器具４の電気的特性として、所定の電流（例えば、定格電流）を流したときに照明器具４に生じる電圧降下（順方向電圧ＶＦ）を検出することが好ましい。負荷電流検出部３１は、負荷である照明器具４に流れる電流（負荷電流ＩＬ）を検出する。
【００１２】
電源装置１は、直流変換部２から出力する第２の直流電圧Ｖ２を複数の照明負荷（図示例では２台の照明器具４）に印加する。２台の照明器具４は、第２の直流電圧Ｖ２が印加されて直流の負荷電流ＩＬが流れることによって点灯する。なお、２台の照明器具４は、電源装置１に対して電気的に直列接続されている。したがって、第２の直流電圧Ｖ２は、２台の照明器具４のそれぞれの点灯開始電圧を合計した電圧よりも高くなければならない。また、電源装置１において、信号線８０を介してコントローラ８から受け取る指令に基づいて制御部３が直流変換部２を制御し、第２の直流電圧Ｖ２を調整して出力電流（負荷電流ＩＬ）を変化させることによって各照明器具４を調光する。なお、以下の説明において、２台の照明器具４を第１の照明器具４Ａ、第２の照明器具４Ｂと呼ぶ場合がある。
【００１３】
直流変換部２は、共振形コンバータ２０と、巻数比調整部２１とを有する。共振形コンバータ２０は、いわゆるＬＬＣ電流共振形コンバータである。共振形コンバータ２０は、二つのスイッチング素子Ｑ１、Ｑ２を電気的に直列接続したハーフブリッジ回路と、共振用のコンデンサＣ１、Ｃ２及びインダクタＬ１と、変圧器Ｔ１と、整流回路２３と、平滑用のコンデンサＣ３とを有する。二つのスイッチング素子Ｑ１、Ｑ２は、Ｎチャネル・エンハンスメント形のＭＯＳＦＥＴ（metal-oxide-semiconductor field-effect transistor）である。ただし、スイッチング素子Ｑ１、Ｑ２は、バイポーラトランジスタなどのＭＯＳＦＥＴ以外のパワートランジスタであっても構わない。また、共振形コンバータ２０は、ハーフブリッジ回路の代わりに、四つのスイッチング素子をブリッジ接続したフルブリッジ回路を有していても構わない。
【００１４】
下アームのスイッチング素子Ｑ２に、共振用のコンデンサＣ１、Ｃ２、インダクタＬ１及び変圧器Ｔ１の入力巻線Ｎ１が電気的に接続される。変圧器Ｔ１は、二つの出力巻線（第１出力巻線Ｎ２１及び第２出力巻線Ｎ２２）と、一つのタップＸ１とを有する。タップＸ１は、第１出力巻線Ｎ２１の第２端と第２出力巻線Ｎ２２の第１端の接続部分に設けられている。
【００１５】
整流回路２３は、三つのアーム（第１アーム２３１、第２アーム２３２及び第３アーム２３３）を有する。第１アーム２３１は、順方向に電気的に直列接続された２個のダイオードＤ１１、Ｄ１２を有する。第１アーム２３１の中点（ダイオードＤ１１のアノードとダイオードＤ１２のカソードの接続点）が第１出力巻線Ｎ２１の第１端と電気的に接続されている。第１アーム２３１の出力端（ダイオードＤ１１のカソード）が第１スイッチＳ１を介して平滑用のコンデンサＣ３の高電位側の端子と電気的に接続されている。第１アーム２３１の入力端（ダイオードＤ１２のアノード）は第２スイッチＳ２を介してコンデンサＣ３の低電位側の端子と電気的に接続されている。
【００１６】
第２アーム２３２は、順方向に電気的に直列接続された２個のダイオードＤ２１、Ｄ２２を有する。第２アーム２３２の中点（ダイオードＤ２１のアノードとダイオードＤ２２のカソードの接続点）がタップＸ１と電気的に接続されている。第２アーム２３２の出力端（ダイオードＤ２１のカソード）がコンデンサＣ３の高電位側の端子と電気的に接続されている。第２アーム２３２の入力端（ダイオードＤ２２のアノード）は第３スイッチＳ３を介してコンデンサＣ３の低電位側の端子と電気的に接続されている。
【００１７】
第３アーム２３３は、順方向に電気的に直列接続された２個のダイオードＤ３１、Ｄ３２を有する。第３アーム２３３の中点（ダイオードＤ３１のアノードとダイオードＤ３２のカソードの接続点）が第２出力巻線Ｎ２２の第２端と電気的に接続されている。第３アーム２３３の出力端（ダイオードＤ３１のカソード）がコンデンサＣ３の高電位側の端子と電気的に接続されている。第２アーム２３２の入力端（ダイオードＤ３２のアノード）はコンデンサＣ３の低電位側の端子と電気的に接続されている。
【００１８】
負荷電流検出部３１は、例えば、負荷電流ＩＬによって電圧降下を生じる抵抗器と、抵抗器に生じる電圧降下（検出電圧）を増幅する増幅器と、増幅器の出力によって入力電流が増減するフォトカプラとを有する。負荷電流検出部３１は、フォトカプラの出力電圧（フォトトランジスタのコレクタ・エミッタ間電圧）を負荷電流ＩＬの検出電圧Ｗ２として制御部３に出力する（図１参照）。
【００１９】
巻数比調整部２１は、三つのスイッチ（第１スイッチＳ１、第２スイッチＳ２及び第３スイッチＳ３）と、これら三つのスイッチを駆動するスイッチ駆動回路２１０とを有する。
【００２０】
第１スイッチＳ１、第２スイッチＳ２及び第３スイッチＳ３はそれぞれ、ＭＯＳＦＥＴのような半導体スイッチング素子で構成されることが好ましい。ただし、第１スイッチＳ１、第２スイッチＳ２及び第３スイッチＳ３は、電磁リレー又はソリッドステート・リレー（SSR:Solid State Relay）で構成されても構わない。
【００２１】
スイッチ駆動回路２１０は、制御部３の指示に応じて、第１スイッチＳ１、第２スイッチＳ２及び第３スイッチＳ３をオン・オフする。スイッチ駆動回路２１０が第１スイッチＳ１及び第２スイッチＳ２をオンし、かつ、第３スイッチＳ３をオフしている場合、変圧器Ｔ１の巻数比が最も高い巻数比（第１巻数比）に調整される。また、スイッチ駆動回路２１０が第１スイッチＳ１及び第２スイッチＳ２をオフし、かつ、第３スイッチＳ３をオンしている場合、変圧器Ｔ１の巻数比が最も低い巻数比（第２巻数比）に調整される。すなわち、巻数比調整部２１は、スイッチ駆動回路２１０によって第１スイッチＳ１、第２スイッチＳ２及び第３スイッチＳ３をオン・オフすることにより、変圧器Ｔ１の巻数比を第１巻数比と第２巻数比の２種類の巻数比に調整する（切り替える）ことができる。なお、変圧器Ｔ１は、三つ以上の出力巻線を有していても構わない。
【００２２】
共振形コンバータ２０において、二つのスイッチング素子Ｑ１、Ｑ２は、駆動回路２２によって相補的にスイッチングされる。制御部３は、駆動回路２２を介して二つのスイッチング素子Ｑ１、Ｑ２をＰＦＭ（Pulse Frequency Modulation：パルス周波数変調）制御することにより、第１の直流電圧Ｖ１を方形パルス状の電圧に変換する。そして、共振用のコンデンサＣ１、Ｃ２、インダクタＬ１及び変圧器Ｔ１の入力巻線Ｎ１の直列共振回路により、前記方形パルス状の電圧が、ＰＦＭ制御のスイッチング周波数に応じた周波数の正弦波電圧に変換される。この正弦波電圧は、変圧器Ｔ１によって変圧され、整流回路２３で全波整流された後、コンデンサＣ３で平滑化されて第２の直流電圧Ｖ２に変換される。なお、変圧器Ｔ１で変圧された後の電圧（変圧器Ｔ１の２次電圧）は、変圧器Ｔ１の巻数比（出力巻線の巻回数／入力巻線の巻回数）が高くなるにつれて大きくなる。
【００２３】
ここで、共振形コンバータ２０は、図２に実線で示す出力特性を有している。図２の横軸は共振形コンバータ２０の動作周波数ｆ（駆動回路２２がスイッチング素子Ｑ１、Ｑ２をスイッチングする周波数）である。図２の縦軸は共振形コンバータ２０の出力比（Ｖ２／Ｖ１）である。共振形コンバータ２０の出力比は、動作周波数ｆが前記直列共振回路の共振周波数ｆ０に一致するときに最大となり、動作周波数ｆが共振周波数ｆ０から離れるにつれて低下する。そこで、電源装置１においては、共振周波数ｆ０よりも高い周波数範囲ＦＡ（第１周波数ｆ１から第２周波数ｆ２までの範囲）で共振形コンバータ２０の動作周波数ｆを変化させることにより、第２の直流電圧Ｖ２を調整する。なお、共振周波数ｆ０よりも低い動作周波数ｆで共振形コンバータ２０を動作させた場合、二つのスイッチング素子Ｑ１、Ｑ２に貫通電流が流れてスイッチング素子Ｑ１、Ｑ２が損傷するおそれがある。
【００２４】
制御部３は、検出電圧Ｗ２に基づいて負荷電流ＩＬの大きさを判断し、負荷電流ＩＬの大きさを目標値（例えば、照明器具４の定格電流）に一致させるように駆動回路２２を介して動作周波数ｆを調整する。つまり、制御部３は、負荷（照明器具４）に一定の負荷電流ＩＬを供給するように共振形コンバータ２０をＰＦＭ制御する。
【００２５】
検出部３０は、複数の抵抗器を有する。これら複数の抵抗器は、コンデンサＣ３の両端間に電気的に直列接続される。検出部３０は、２台の照明器具４に生じる電圧降下を複数の抵抗器で分圧することにより、当該電圧降下に比例した検出電圧Ｗ１を制御部３に出力する（図１参照）。
【００２６】
制御部３は、コントローラ８から受け取る指令（調光レベル）に基づき、負荷電流ＩＬの目標値を変更する。調光レベルは、電源装置１から出力される出力電流と照明器具４の定格電流との電流比に対応する。例えば、負荷電流ＩＬの目標値が照明器具４の定格電流に等しいときの調光レベルが１００％となり、負荷電流ＩＬの目標値が低下するにつれて調光レベルが低下して照明器具４の光量が減少する。制御部３は、負荷電流ＩＬの大きさを、調光レベルに応じた目標値に一致させるように共振形コンバータ２０をＰＦＭ制御する。
【００２７】
２台の照明器具４はそれぞれ、図３に示すように、複数（図示例では３個）のＬＥＤ（Light Emitting Diode）４１を順方向に直列接続したＬＥＤモジュール４０を複数（図示例では２個）有する。これら２台の照明器具４は、電気的に直列接続されている。このように各照明器具４においては、定格電圧を下げるために、ＬＥＤモジュール４０を複数（例えば、２個ずつ）有し、これら複数のＬＥＤモジュール４０が電気的に並列接続されることが好ましい（図３参照）。各照明器具４が上述のように構成されれば、定格電圧を変えずに光束を増加させることができる。ただし、ＬＥＤモジュール４０に含まれる複数個のＬＥＤ４１のＶＦランクをそろえることが好ましい。つまり、同じメーカ製の同じＶＦランクに属する複数個のＬＥＤ４１によって複数のＬＥＤモジュール４０が構成されれば、順方向電圧のばらつき（定格電圧のばらつき）を抑制することができる。なお、照明器具４は、ＬＥＤ４１に代えて有機エレクトロルミネッセンス素子又は半導体レーザなどの固体光源を有していても構わない。
【００２８】
ここで、各照明器具４に生じる電圧降下は、照明器具４において電気的に並列接続されているＬＥＤモジュール４０の順方向電圧ＶＦ、具体的にはＬＥＤモジュール４０を構成する複数個のＬＥＤ４１のそれぞれの順方向電圧の和に等しい。したがって、同じ個数のＬＥＤ４１を有する２台の照明器具４であっても、ＬＥＤモジュール４０を構成するＬＥＤの個数などが異なれば、それぞれの順方向電圧ＶＦも異なることになる。そして、順方向電圧ＶＦが異なれば、照明器具４に所定の電流（例えば、定格電流）を流すために必要な第２の直流電圧Ｖ２の大きさも異なる。一方、共振形コンバータ２０から出力される第２の直流電圧Ｖ２は、定電圧源１２から入力される第１の直流電圧Ｖ１が一定であれば、変圧器Ｔ１の巻数比によって決まってしまう。つまり、変圧器Ｔ１の巻数比を調整すれば、第１の直流電圧Ｖ１が一定であっても、第２の直流電圧Ｖ２の調整可能な範囲（出力可変範囲ＶＡ：図２参照）の拡大を図ることができる。
【００２９】
そこで、制御部３は、巻数比調整部２１に変圧器Ｔ１の巻数比を第１巻数比に調整させ、かつ、直流変換部２から定電流（照明器具４の定格電流よりも低い電流）を出力している状態において、検出部３０が検出する検出電圧Ｗ１をしきい値Ｖｔｈと比較する。検出電圧Ｗ１がしきい値Ｖｔｈ以上である場合、制御部３は、変圧器Ｔ１の巻数比を第１巻数比に維持するように巻数比調整部２１を制御する。一方、検出電圧Ｗ１がしきい値Ｖｔｈ未満である場合、制御部３は、変圧器Ｔ１の巻数比を第２巻数比に調整する（切り替える）ように巻数比調整部２１を制御する。さらに、制御部３は、変圧器Ｔ１の巻数比に応じて、負荷電流ＩＬの目標値を変更する。例えば、制御部３は、検出電圧Ｗ１がしきい値Ｖｔｈ以上である場合は目標値を低くし、検出電圧Ｗ１がしきい値Ｖｔｈ未満である場合は目標値を高くすることが好ましい。つまり、２台の照明器具４が電気的に直列接続されている場合、第２の直流電圧Ｖ２を２台の照明器具４の定格電圧の和以上とする必要があるか、負荷電流ＩＬについては１台の照明器具４の定格電流に等しくすればよい。一方、２台の照明器具４が電気的に並列接続されている場合、第２の直流電圧Ｖ２は１台の照明器具４の定格電圧に等しければよいが、負荷電流ＩＬについては１台の照明器具４の定格電流の２倍の大きさが必要となる。
【００３０】
制御部３の具体的な動作について、図４Ａ及び図４Ｂのタイムチャートを参照して説明する。なお、図４Ａ及び図４Ｂの一番上は第１の直流電圧Ｖ１、上から二番目は検出電圧Ｗ１、上から三番目は第１スイッチＳ１の状態、下から二番目は第２スイッチＳ２の状態、一番下は第３スイッチＳ３の状態、をそれぞれ示している。
【００３１】
制御部３は、定電圧源１２が起動して第１の直流電圧Ｖ１が電源装置１に入力されると、スイッチ駆動回路２１０に第１スイッチＳ１及び第２スイッチＳ２をオンさせる。加えて、制御部３は、第３スイッチＳ３をオフさせて変圧器Ｔ１の巻数比を第１巻数比に調整する（時間ｔ＝ｔ０）。さらに、制御部３は、直流変換部２を制御して第２の直流電圧Ｖ２を徐々に上昇させる。検出部３０から出力される検出電圧Ｗ１は、第２の直流電圧Ｖ２の上昇につれて徐々に上昇する。制御部３は、第１の直流電圧Ｖ１の入力時点（時間ｔ＝ｔ０）から所定時間が経過した時点（時間ｔ＝ｔ１）の検出電圧Ｗ１をしきい値Ｖｔｈと比較する。
【００３２】
制御部３は、検出電圧Ｗ１がしきい値Ｖｔｈ以上であれば、スイッチ駆動回路２１０に第１スイッチＳ１及び第２スイッチＳ２のオンさせ続け、かつ第３スイッチＳ３をオフさせ続けて変圧器Ｔ１の巻数比を第１巻数比に維持させる（図４Ａ参照）。制御部３は、更に、負荷電流ＩＬの目標値を相対的に小さい値に調整（変更）する。
【００３３】
また、制御部３は、検出電圧Ｗ１がしきい値Ｖｔｈ未満であれば、スイッチ駆動回路２１０に第１スイッチＳ１及び第２スイッチＳ２をオフさせ、かつ第３スイッチＳ３をオンさせて変圧器Ｔ１の巻数比を第２巻数比に切り替えさせる（図４Ｂ参照）。制御部３は、更に、負荷電流ＩＬの目標値を相対的に大きい値に調整（変更）する。
【００３４】
上述のように、検出部３０が検出する検出電圧Ｗ１（照明器具４の順方向電圧ＶＦ）に応じて巻数比調整部２１が変圧器Ｔ１の巻数比を調整し、かつ、検出電圧Ｗ１に応じて負荷電流ＩＬの目標値を変更すれば、負荷の電気的特性に適した電力の供給を図ることができる。さらに、巻数比調整部２１による巻数比の調整（切替え）によって、電源装置１の出力電流の可変範囲を拡大することができる。図５Ａの曲線α及び図５Ｂの曲線βの各々は、電源装置１の出力電流（負荷電流ＩＬ）と出力電圧（第２の直流電圧Ｖ２）の関係を示している。図５Ａの曲線αは、変圧器Ｔ１の巻数比が第２巻数比である場合において、直流変換部２の動作周波数ｆをｆ１からｆ２まで変化させたときの出力電流と第２の直流電圧Ｖ２の関係を表している。同様に、図５Ｂの曲線βは、変圧器Ｔ１の巻数比が第１巻数比である場合において、直流変換部２の動作周波数ｆをｆ１からｆ２まで変化させたときの出力電流と第２の直流電圧Ｖ２の関係を表している。つまり、制御部３が第１周波数ｆ１から第２周波数ｆ２までの範囲で動作周波数ｆを変化させると、出力電流及び第２の直流電圧Ｖ２が曲線α及び曲線βに沿って変化することになる。図５Ａにおける直線ＳＬ１と、図５Ｂにおける直線ＳＬ１及びＳＬ２は、照明器具４の理想的な負荷特性を示している。ただし、直線ＳＬ１で示される負荷特性は、順方向電圧ＶＦが相対的に低い照明器具４の負荷特性である。一方、直線ＳＬ２で示される負荷特性は、順方向電圧ＶＦが相対的に高い照明器具４の負荷特性である。
【００３５】
図５Ｂに示すように、変圧器Ｔ１の巻数比が第１巻数比である場合、直線ＳＬ１と曲線βが周波数範囲ＦＡの中央付近で交差しているので、直線ＳＬ１の負荷特性を有する照明器具４の調光範囲が制限されてしまう。
【００３６】
一方、図５Ａに示すように、変圧器Ｔ１の巻数比が第２巻数比に調整された場合、直線ＳＬ１と曲線αは交差しないので、直線ＳＬ１の負荷特性を有する照明器具４の調光範囲が制限されず、調光範囲の拡大を図ることができる。
【００３７】
次に、実施形態に係る電源装置１の幾つかの変形例について、図面を参照して説明する。ただし、以下に説明する電源装置１の変形例において、実施形態の電源装置１と共通の構成については、実施形態の電源装置１と共通の符号を付すとともに、図示並びに説明を適宜省略する。
【００３８】
（変形例１）
変形例１の電源装置１は、図６に示すように、ダイオードブリッジからなる第１整流回路２１１及び第２整流回路２１２を有する。また、変形例１の電源装置１における巻数比調整部２１は、第１スイッチＳ１、第２スイッチＳ２及びスイッチ駆動回路２１０を有する。第１整流回路２１１の第１入力端子は第１出力巻線Ｎ２１の第１端と電気的に接続されている。第１整流回路２１１の第２入力端子は第２出力巻線Ｎ２２の第２端と電気的に接続されている。第１整流回路２１１の第１出力端子は、コンデンサＣ３の高電位側の端子と電気的に接続されている。第１整流回路２１１の第２出力端子は、第１スイッチＳ１を介してコンデンサＣ３の低電位側の端子と電気的に接続されている。
【００３９】
第２整流回路２１２の第１入力端子は変圧器Ｔ１のタップＸ１と電気的に接続されている。第２整流回路２１２の第２入力端子は第２出力巻線Ｎ２２の第２端と電気的に接続されている。第２整流回路２１２の第１出力端子は、コンデンサＣ３の高電位側の端子と電気的に接続されている。第２整流回路２１２の第２出力端子は、第２スイッチＳ２を介してコンデンサＣ３の低電位側の端子と電気的に接続されている。
【００４０】
第１スイッチＳ１と第２スイッチＳ２は、スイッチ駆動回路２１０によって相補的にオン・オフされる。第１スイッチＳ１がオンされ、かつ、第２スイッチＳ２がオフされている場合、第１出力巻線Ｎ２１と第２出力巻線Ｎ２２が第１整流回路２１１の第１入力端子と第２入力端子の間に電気的に直列接続される。そのため、変圧器Ｔ１の巻数比は、高い方の巻数比（第１巻数比）に調整される。
【００４１】
一方、第１スイッチＳ１がオフされ、かつ、第２スイッチＳ２がオンされている場合、第２出力巻線Ｎ２２が第２整流回路２１２の第１入力端子と第２入力端子の間に電気的に直列接続される。そのため、変圧器Ｔ１の巻数比は、低い方の巻数比（第２巻数比）に調整される。
【００４２】
制御部３は、巻数比調整部２１に変圧器Ｔ１の巻数比を第１巻数比に調整させ、かつ、直流変換部２から定電流を出力している状態において、検出部３０が検出する検出電圧Ｗ１をしきい値Ｖｔｈと比較する。検出電圧Ｗ１がしきい値Ｖｔｈ以上である場合、制御部３は、変圧器Ｔ１の巻数比を第１巻数比に維持するように巻数比調整部２１を制御する。一方、検出電圧Ｗ１がしきい値Ｖｔｈ未満である場合、制御部３は、変圧器Ｔ１の巻数比を第２巻数比に調整する（切り替える）ように巻数比調整部２１を制御する。
【００４３】
（変形例２）
変形例２の電源装置１は、図７に示すように、変形例１の電源装置１と同じくダイオードブリッジからなる第１整流回路２１１及び第２整流回路２１２を有する。また、変形例２の電源装置１における巻数比調整部２１は、いずれもＮチャネルＭＯＳＦＥＴからなる第１スイッチＳ１及び第２スイッチＳ２と、第１スイッチＳ１及び第２スイッチＳ２を駆動するスイッチ駆動回路２１０とを有する。
【００４４】
第１スイッチＳ１のドレインが第１整流回路２１１の第２入力端子と電気的に接続されている。第１スイッチＳ１のソースと第２スイッチＳ２のソースが電気的に接続されている。第２スイッチＳ２のドレインがコンデンサＣ３の低電位側の端子と電気的に接続されている。第２スイッチＳ２のゲートとドレインの間に抵抗器Ｒ１が電気的に接続されている。また、第１スイッチＳ１のゲート及び第２スイッチＳ２のゲートがスイッチ駆動回路２１０の出力端子と電気的に接続されている。
【００４５】
スイッチ駆動回路２１０の出力端子から駆動信号が出力されていない場合、第１スイッチＳ１及び第２スイッチＳ２がオフするので、第１整流回路２１１が変圧器Ｔ１から切り離される。そのため、変圧器Ｔ１の第２出力巻線Ｎ２２から出力される交流電圧が第２整流回路２１２で整流される。つまり、変圧器Ｔ１の巻数比が第２巻数比に調整される。
【００４６】
一方、スイッチ駆動回路２１０の出力端子から駆動信号が出力されている場合、第１スイッチＳ１がオンするので、第１整流回路２１１が変圧器Ｔ１と電気的に接続される。そのため、変圧器Ｔ１の第１出力巻線Ｎ２１及び第２出力巻線Ｎ２２から出力される交流電圧が第１整流回路２１１で整流される。つまり、変圧器Ｔ１の巻数比が第１巻数比に調整される。なお、第１スイッチＳ１がオンしているときに第２スイッチＳ２はオフしており、第２スイッチＳ２（ＭＯＳＦＥＴ）の寄生ダイオードを通して第１スイッチＳ１にドレイン電流が流れる。
【００４７】
制御部３は、巻数比調整部２１に変圧器Ｔ１の巻数比を第１巻数比に調整させ、かつ、直流変換部２から定電流を出力している状態において、検出部３０が検出する検出電圧Ｗ１をしきい値Ｖｔｈと比較する。検出電圧Ｗ１がしきい値Ｖｔｈ以上である場合、制御部３は、変圧器Ｔ１の巻数比を第１巻数比に維持するように巻数比調整部２１を制御する。一方、検出電圧Ｗ１がしきい値Ｖｔｈ未満である場合、制御部３は、変圧器Ｔ１の巻数比を第２巻数比に調整する（切り替える）ように巻数比調整部２１を制御する。
【００４８】
（変形例３）
変形例３の電源装置１において、変圧器Ｔ１は、図８に示すように、四つの出力巻線（第１出力巻線Ｎ２１、第２出力巻線Ｎ２２、第３出力巻線Ｎ２３及び第４出力巻線Ｎ２４）を有している。そして、第１出力巻線Ｎ２１と第２出力巻線Ｎ２２の間と、第２出力巻線Ｎ２２と第３出力巻線Ｎ２３の間と、第３出力巻線Ｎ２３と第４出力巻線Ｎ２４の間とに一つずつタップ（第１タップＸ１、第２タップＸ２及び第３タップＸ３）が設けられている。第１出力巻線Ｎ２１の第１端及び第２端（第１タップＸ１）のそれぞれに整流用のダイオードＤ３１、Ｄ３２のアノードが電気的に接続されている。また、第４出力巻線Ｎ２４の第１端（第３タップＸ３）及び第２端のそれぞれに整流用のダイオードＤ３３、Ｄ３４のアノードが電気的に接続されている。さらに、タップＸ２がコンデンサＣ３の低電位側の端子と電気的に接続されている。
【００４９】
変形例３の電源装置１における巻数比調整部２１は、三つのスイッチ（第４スイッチＳ４、第５スイッチＳ５、第６スイッチＳ６）、四つの抵抗器Ｒ２〜Ｒ５、ダイオードＤ４、ツェナーダイオードＺＤ１、コンデンサＣ４及びスイッチ駆動回路２１０を有する。
【００５０】
第４スイッチＳ４と第６スイッチＳ６は、いずれもＮチャネルのエンハンスメント形ＭＯＳＦＥＴである。第５スイッチＳ５は、ｐｎｐ型のバイポーラトランジスタである。第４スイッチＳ４のソースがコンデンサＣ３の低電位側の端子及び変圧器Ｔ１の第３タップＸ３と電気的に接続されている。第４スイッチＳ４のドレインが抵抗器Ｒ４の一端と電気的に接続されている。抵抗器Ｒ４の他端は抵抗器Ｒ３の一端及び第５スイッチＳ５のベースと電気的に接続されている。抵抗器Ｒ３の他端が第５スイッチＳ５のエミッタ、ダイオードＤ４のカソード、ツェナーダイオードＺＤ１のカソード及びコンデンサＣ４の一方の端子と電気的に接続されている。ダイオードＤ４のアノードが抵抗器Ｒ２の一端と電気的に接続されている。抵抗器Ｒ２の他端が第６スイッチＳ６のドレイン、及び二つのダイオードＤ３１、Ｄ３４のカソードと電気的に接続されている。第６スイッチＳ６のソースは、ダイオードＤ３２、Ｄ３３のカソード、抵抗器Ｒ５の一端、ツェナーダイオードＺＤ１のアノード、コンデンサＣ４の他端及びコンデンサＣ３の高電位側の端子と電気的に接続されている。抵抗器Ｒ５の他端が第５スイッチＳ５のコレクタ及び第６スイッチＳ６のゲートと電気的に接続されている。
【００５１】
スイッチ駆動回路２１０は、第４スイッチＳ４をオン・オフする。第４スイッチＳ４がオフしているとき、第５スイッチＳ５がオフとなるため、第６スイッチＳ６もオフとなる。そして、第４〜第６スイッチＳ４〜Ｓ６が全てオフとなっている場合、第１出力巻線Ｎ２１と第２出力巻線Ｎ２２に誘起される電圧と、第３出力巻線Ｎ２３と第４出力巻線Ｎ２４に誘起される電圧とが交互にコンデンサＣ３に印加される。つまり、巻数比調整部２１は、スイッチ駆動回路２１０によって第４スイッチＳ４をオフすることにより、変圧器Ｔ１の巻数比を第１巻数比に調整する。
【００５２】
一方、第４スイッチＳ４がオンしているとき、第５スイッチＳ５がオンとなるため、第６スイッチＳ６もオンとなる。そして、第４〜第６スイッチＳ４〜Ｓ６が全てオンとなっている場合、第２出力巻線Ｎ２２に誘起される電圧と、第３出力巻線Ｎ２３に誘起される電圧とが交互にコンデンサＣ３に印加される。つまり、巻数比調整部２１は、スイッチ駆動回路２１０によって第４スイッチＳ４をオンすることにより、変圧器Ｔ１の巻数比を第２巻数比に調整する。
【００５３】
制御部３は、巻数比調整部２１に変圧器Ｔ１の巻数比を第１巻数比に調整させ、かつ、直流変換部２から定電流を出力している状態において、検出部３０が検出する検出電圧Ｗ１をしきい値Ｖｔｈと比較する。検出電圧Ｗ１がしきい値Ｖｔｈ以上である場合、制御部３は、変圧器Ｔ１の巻数比を第１巻数比に維持するように巻数比調整部２１を制御する。一方、検出電圧Ｗ１がしきい値Ｖｔｈ未満である場合、制御部３は、変圧器Ｔ１の巻数比を第２巻数比に調整する（切り替える）ように巻数比調整部２１を制御する。
【００５４】
（変形例４）
変形例４の電源装置１において、巻数比調整部２１は、変圧器Ｔ１に設けられた補助巻線Ｎ３の誘起電圧によって動作し、誘起電圧が下限値以下であるときに変圧器Ｔ１の巻数比を最小値（例えば、ゼロ）に調整することが好ましい。そのために変形例４の電源装置１は、図９に示すように、補助巻線Ｎ３に誘起される交流電圧を整流平滑し、かつ、安定化することによって定電圧の制御電圧Ｖｃｃを作成する制御電源回路２４を備えている。
【００５５】
制御電源回路２４は、ダイオードＤ５と、抵抗器Ｒ７と、コンデンサＣ５と、レギュレータ回路２４０とを有することが好ましい。補助巻線Ｎ３の第１端にダイオードＤ５のアノードが電気的に接続されている。ダイオードＤ５のカソードは、抵抗器Ｒ７の第１端とコンデンサＣ５の第１端とレギュレータ回路２４０に入力端子に電気的に接続されている。抵抗器Ｒ７の第２端は、コンデンサＣ５の第２端と補助巻線Ｎ３の第２端に電気的に接続されている。なお、レギュレータ回路２４０は、３端子レギュレータ回路であることが好ましい。制御電源回路２４は、共振形コンバータ２０が動作して変圧器Ｔ１の補助巻線Ｎ３に誘起電圧が生じているとき、レギュレータ回路２４０で定電圧化した制御電圧Ｖｃｃを巻数比調整部２１に出力する。巻数比調整部２１は、制御電圧Ｖｃｃが供給されているときに動作して巻数比を調整し、制御電圧Ｖｃｃが供給されていないときは停止する。
【００５６】
例えば、共振形コンバータ２０のコンデンサＣ３が短絡故障した場合、変圧器Ｔ１の補助巻線Ｎ３に生じる誘起電圧が低下するので、制御電源回路２４から制御電圧Ｖｃｃが出力されなくなる。その結果、巻数比調整部２１が停止して第１スイッチＳ１、第２スイッチＳ２及び第３スイッチＳ３が全てオフするので、変圧器Ｔ１の第１出力巻線Ｎ２１及び第２出力巻線Ｎ２２がコンデンサＣ３から電気的に切り離される。つまり、制御部３が直流変換部２の出力電流の異常を検出して共振形コンバータ２０を停止する前に、巻数比調整部２１が共振形コンバータ２０を照明器具４から電気的に切り離すことにより、直流変換部２が確実に保護される。
【００５７】
次に、実施形態に係る照明システム５について図面を参照して詳細に説明する。照明システム５は、図１０に示すように、複数（図示例では３台）の照明器具４と、点灯ユニット１０とを備える。
【００５８】
３台の照明器具４は、例えば、競技場を照明する用途に用いられる投光器であり、照明柱などの先端（高所）に設置される。なお、以下の説明において、３台の照明器具４を第１の照明器具４Ａ、第２の照明器具４Ｂ、及び第３の照明器具４Ｃと呼ぶ場合がある。
【００５９】
これら３台の照明器具４は、電気的に直列接続されている。各照明器具４においては、定格電圧を下げるために、ＬＥＤモジュール４０を複数（例えば、２個ずつ）有し、これら複数のＬＥＤモジュール４０が電気的に並列接続されることが好ましい（図３参照）。
【００６０】
点灯ユニット１０は、例えば、競技場に設けられた建物の中に設置される。ただし、照明システム５が有する照明器具４の台数及び点灯ユニット１０の台数は、それぞれ３台及び１台に限定されない。
【００６１】
点灯ユニット１０は、図１０に示すように、複数（図示例では３台）の電源装置１と、１本の電源ケーブル６とを備える。３台の電源装置１は、ケース１１に収容されている。ケース１１は、電気的な導体（例えば、金属）によって箱形に形成されている。なお、ケース１１は、安定電位を有する場所（例えば、大地）に接地されることが好ましい。
【００６２】
電源ケーブル６は、第１電源線６１及び第２電源線６２と、これら２本の電源線６１、６２を被覆するシース６３とを有する。第１電源線６１の第１端は、ケース１１内において、逆流阻止用のダイオードＤ１１、Ｄ１２、Ｄ１３を介して各電源装置１の高電位側の出力端子に分岐接続される。第２電源線６２の第１端は、ケース１１内において各電源装置１の低電位側の出力端子に分岐接続される。また、第１電源線６１の第２端は、第１の照明器具４Ａの正極と電気的に接続される。第２電源線６２の第２端は、第３の照明器具４Ｃの負極と電気的に接続される。さらに、第１の照明器具４Ａの負極に第２の照明器具４Ｂの正極が電気的に接続され、第２の照明器具４Ｂの負極が第３の照明器具４Ｃの正極と電気的に接続される。つまり、３台の照明器具４Ａ〜４Ｃは、第１電源線６１の第２端と第２電源線６２の第２端の間に電気的に直列接続されている（図１０参照）。
【００６３】
ここで、投光器を点灯させる点灯ユニット１０が投光器とともに高所に設置された場合、点灯ユニット１０のメンテナンス作業が高所での作業となってしまい、メンテナンス作業を行う作業員に大きな負担がかかってしまう。これに対して、照明システム５では、点灯ユニット１０を照明器具４から離れた場所に設置することができるため、点灯ユニット１０を照明器具４と同じく高所に設置する場合に比べて、メンテナンス作業の作業性の向上を図ることができる。しかも、１台の点灯ユニット１０と複数台（図示例では３台）の照明器具４を１本の電源ケーブル６で接続しているので、省配線化を図ることができる。
【００６４】
また、点灯ユニット１０においては、３台の電源装置１と第１電源線６１及び第２電源線６２がケース１１内に収容されている。例えば、ケース１１を防水構造とすることにより、複数の電源装置１のそれぞれに防水構造を設ける必要がなくなる。その結果、照明システム５は、防水性能を確保するための製造コストの低減を図ることができる。また、照明システム５では、ケース１１が電気的な導体（金属）で形成されているので、点灯ユニット１０から発生する高周波ノイズがふく射ノイズとしてケース１１の外に漏れることを抑制できる。
【００６５】
コントローラ８は、点灯ユニット１０と信号線８０を介して電気的に接続される。コントローラ８は、信号線８０を介して調光信号を送信する。コントローラ８は、例えば、調光信号としてＰＷＭ（Pulse Width Modulation：パルス幅変調）信号を点灯ユニット１０に送信する。すなわち、コントローラ８は、調光信号（ＰＷＭ信号）のデューティ比によって点灯ユニット１０に調光レベルを指示する。
【００６６】
一方、点灯ユニット１０は、コントローラ８から送信される調光信号を各電源装置１の制御部３で受信する。電源装置１の制御部３は、受信した調光信号から調光レベルを読み取る。電源装置１の制御部３は、読み取った調光レベルに応じて、負荷電流ＩＬの目標値を調整して照明器具４を調光する。
【００６７】
次に、図１１を参照して照明システム５の具体的なシステム構成を説明する。
【００６８】
照明システム５は、例えば、商用の電力系統７から供給される交流電力を直流電力に電力変換して照明負荷（照明器具４）に供給する。なお、以下の説明においては、３台の電源装置１を区別するために、第１の電源装置１Ａ、第２の電源装置１Ｂ、及び第３の電源装置１Ｃと呼ぶ場合がある。ただし、３台の電源装置１の回路構成のうち、直流変換部２については既に説明しているので、直流変換部２の回路構成についての図示及び説明を省略する。
【００６９】
電源装置１（第１の電源装置１Ａ、第２の電源装置１Ｂ、及び第３の電源装置１Ｃ）は、定電圧源１２として、交直変換部１３とフィルタ１４を備えている。
【００７０】
交直変換部１３は、例えば、整流回路、平滑コンデンサ、及び昇圧チョッパ回路（力率改善回路）を有する。交直変換部１３は、昇圧チョッパ回路のスイッチング素子が制御部３によってＰＷＭ制御されることにより、定電圧化された第１の直流電圧Ｖ１を直流変換部２に出力する。ただし、交直変換部１３から出力される第１の直流電圧Ｖ１は、制御部３によって調整可能である。
【００７１】
フィルタ１４は、電力系統７から電源装置１に入力するノイズ（ノーマルモードノイズ及びコモンモードノイズ）及び交直変換部１３から電力系統７に出力されるノイズをフィルタリングする。
【００７２】
なお、３台の電源装置１のそれぞれが交直変換部１３及びフィルタ１４を一つずつ備える代わりに、３台の電源装置１が一つの交直変換部１３及びフィルタ１４を共用しても構わない。
【００７３】
また、第１の電源装置１Ａ、第２の電源装置１Ｂ、及び第３の電源装置１Ｃは、一つの制御部３を共用しても構わない（図１１参照）。
【００７４】
ここで、照明システム５の変形例のシステム構成について、図１２を参照して説明する。図１２に示す変形例の照明システム５は、３台の照明器具４が点灯ユニット１０に対して、１本の電源ケーブル６を介して電気的に並列接続されている。３台の照明器具４が電気的に並列接続される場合、３台の照明器具４が電気的に直列接続される場合に比べて、３台の照明器具４に出力すべき第２の直流電圧Ｖ２を下げることができる。
【００７５】
上述のように第１の態様に係る電源装置（１）は、第１の直流電圧（Ｖ１）を第２の直流電圧（Ｖ２）に変換する直流変換部（２）と、直流変換部（２）を制御して第２の直流電圧（Ｖ２）を調整する制御部（３）とを備える。第１の態様に係る電源装置（１）は、直流変換部（２）から第２の直流電圧（Ｖ２）が印加される負荷（照明器具４）の電気的特性を検出する検出部（３０）と、負荷に流れる負荷電流（ＩＬ）を検出する負荷電流検出部（３１）とを備える。直流変換部（２）は、出力用の変圧器（Ｔ１）を有する共振形コンバータ（２０）と、変圧器（Ｔ１）の巻数比を調整する巻数比調整部（２１）とを有する。制御部（３）は、負荷電流検出部（３１）で検出される負荷電流（ＩＬ）を目標値に一致させるように共振形コンバータ（２０）の動作周波数（ｆ）を制御し、かつ、検出部（３０）が検出する負荷の電気的特性に応じて巻数比調整部（２１）に変圧器（Ｔ１）の巻数比を調整させる。制御部（３）は、更に、負荷の電気的特性に応じて（負荷電流（ＩＬ）の）目標値を変更する。
【００７６】
第１の態様に係る電源装置（１）は、巻数比調整部２１によって変圧器（Ｔ１）の巻数比を調整し、かつ、負荷の電気的特性に応じて負荷電流（ＩＬ）の目標値を変更することにより、負荷の電気的特性に適した電力の供給を図ることができる。
【００７７】
第２の態様に係る電源装置（１）は、第１の態様との組合せにより実現され得る。第２の態様に係る電源装置（１）において、制御部（３）は、外部から受け取る指令に応じて（負荷電流（ＩＬ）の）目標値を変更することが好ましい。
【００７８】
第２の態様に係る電源装置（１）は、外部からの指令によって負荷電流（ＩＬ）を調整することができる。
【００７９】
第３の態様に係る電源装置（１）は、第２の態様との組合せにより実現され得る。第３の態様に係る電源装置（１）において、検出部（３０）は、負荷の電気的特性として、負荷電流（ＩＬ）が流れているときの負荷の両端電圧を電気的特性として検出することが好ましい。
【００８０】
第３の態様に係る電源装置（１）は、負荷の電気的特性を容易に検出することができる。
【００８１】
第４の態様に係る電源装置（１）は、第１〜第３の態様のいずれかとの組合せにより実現され得る。第４の態様に係る電源装置（１）において、共振形コンバータ（２０）は、変圧器（Ｔ１）が出力する交流電圧を整流する整流回路（２３）を有することが好ましい。変圧器（Ｔ１）は、一つ以上のタップ（Ｘ１）が設けられた出力巻線（Ｎ２１；Ｎ２２）を有することが好ましい。巻数比調整部（２１）は、一つ以上のタップと整流回路（２３）の入力端子を電気的に接続する接続状態と電気的に接続しない非接続状態に択一的に切り替えることが好ましい。
【００８２】
第４の態様に係る電源装置（１）は、巻数比調整部（２１）による巻数比の調整を容易に行うことができる。
【００８３】
第５の態様に係る電源装置（１）は、第４の態様との組合せにより実現され得る。第５の態様に係る電源装置（１）において、変圧器（Ｔ１）は補助巻線（Ｎ３）を有することが好ましい。巻数比調整部（２１）は、補助巻線（Ｎ３）の誘起電圧によって動作し、誘起電圧が下限値以下であるときに巻数比を最小値に調整することが好ましい。
【００８４】
第５の態様に係る電源装置（１）は、負荷が短絡した場合に補助巻線（Ｎ３）の誘起電圧が低下して巻数比が最小値に調整される。その結果、第５の態様に係る電源装置（１）は、直流変換部（２）を負荷から切り離して直流変換部（２）を保護することができる。
【００８５】
第６の態様に係る照明システム（５）は、第１〜第５の態様のいずれかの電源装置（１）を複数備える。第６の態様に係る照明システム（５）は、複数の照明負荷（照明器具４）と、複数の電源装置（１）の出力する直流電力を複数の照明負荷に供給するための給電路（電源ケーブル６）とを備える。複数の電源装置（１）は、給電路の第１端に電気的に並列接続される。複数の照明負荷は、給電路の第２端に電気的に並列接続又は直列接続される。
【００８６】
第６の態様に係る照明システム（５）は、共振形コンバータ（２０）の動作周波数（ｆ）の調整によって調整可能な出力電圧（第２の直流電圧（Ｖ２））の調整範囲の拡大を図ることができる。
【００８７】
第７の態様に係る照明システム（５）は、第６の態様との組合せにより実現され得る。第７の態様に係る照明システム（５）において、複数の照明負荷は、給電路の第２端に電気的に直列接続されることが好ましい。複数の照明負荷の各々は、複数の固体光源（ＬＥＤ４１）を有することが好ましい。複数の照明負荷のうちの一部の照明負荷は、複数の固体光源のうちの一部の固体光源が電気的に直列接続された固体光源モジュール（ＬＥＤモジュール４０）を複数有することが好ましい。複数の固体光源モジュールが電気的に並列接続されていることが好ましい。
【００８８】
第７の態様に係る照明システム（５）は、複数の照明負荷のそれぞれの定格電圧を変えずに各照明負荷から放射される光束を増加させることができる。
【符号の説明】
【００８９】
１  電源装置
２  直流変換部
３  制御部
４  照明器具（負荷）
５  照明システム
６  電源ケーブル
２０  共振形コンバータ
２１  巻数比調整部
２３  整流回路
３０  検出部
３１  負荷電流検出部
４０  ＬＥＤモジュール（固体光源モジュール）
４１  ＬＥＤ（固体光源）
Ｔ１  変圧器
Ｎ２１  第１出力巻線（出力巻線）
Ｎ２２  第２出力巻線（出力巻線）
Ｎ３  補助巻線
Ｘ１  タップ
Ｖ１  第１の直流電圧
Ｖ２  第２の直流電圧
ｆ  動作周波数
ＩＬ  負荷電流
【図１】
2020107437.tif 000003
【図２】
2020107437.tif 000004
【図３】
2020107437.tif 000005
【図４】
2020107437.tif 000006
【図５】
2020107437.tif 000007
【図６】
2020107437.tif 000008
【図７】
2020107437.tif 000009
【図８】
2020107437.tif 000010
【図９】
2020107437.tif 000011
【図１０】
2020107437.tif 000012
【図１１】
2020107437.tif 000013
【図１２】
2020107437.tif 000014